(57)【特許請求の範囲】
【請求項１】
入力される第１のデータを記録媒体に記録する記録手段と、
上記記録手段により上記記録媒体に記録された又は記録される上記第１のデータのうち、ユーザにより所望の第２のデータの始点及び終点を入力するために用いられる入力手段と、
上記ユーザにより上記入力手段を介して上記第２のデータの上記始点及び終点が入力されたときには、当該第２のデータが記録された上記記録媒体の記録領域を避けて上記第１のデータを上記記録媒体にエンドレス記録するように上記記録手段を制御する制御手段と
を具えることを特徴とする記録装置。
【請求項２】
上記記録媒体は、ノンリニアアクセス可能な記録媒体である
ことを特徴とする請求項１に記載の記録装置。
【請求項３】
上記記録媒体に記録された上記第１のデータを再生する再生手段
を具え、上記制御手段は、
上記再生手段による上記第１のデータの再生に応じて、上記ユーザにより上記入力手段を介して上記第２のデータの上記始点及び終点が入力されたときには、当該第２のデータが記録された上記記録媒体の上記記録領域を避けて上記第１のデータを上記記録媒体にエンドレス記録するように上記記録手段を制御する
ことを特徴とする請求項１に記載の記録装置。
【請求項４】
上記再生手段は、
上記記録媒体に記録された上記第１のデータを上記記録から所定時間経過した後、上記記録媒体に記録された順番にしたがつて再生する
ことを特徴とする請求項３に記載の記録装置。
【請求項５】
上記制御手段は、
上記記録媒体に上記第１のデータをエンドレス記録させるように上記記録手段を制御するとき、上記記録媒体の第１の記録領域に上記第１のデータをエンドレス記録させ、上記ユーザにより上記入力手段を介して上記第２のデータの上記始点及び終点が入力されたときには上記記録媒体の上記第１の記録領域のうち、所定の第２の記録領域を避けて上記第１のデータを上記第１の記録領域にエンドレス記録させるように上記記録手段を制御する
ことを特徴とする請求項１に記載の記録装置。
【請求項６】
上記制御手段は、
上記第１のデータを上記記録媒体の第１の記録領域に記録させるように上記記録手段を制御すると共に、上記第１のデータを識別する補助データを生成し、当該補助データを上記記録媒体の上記第１の記録領域とは異なる第２の記録領域に記録させるように上記記録手段を制御する
ことを特徴とする請求項１に記載の記録装置。
【請求項７】
上記制御手段は、
上記第１のデータを上記記録媒体の第１の記録領域に記録させるように上記記録手段を制御すると共に、上記第１のデータを識別する補助データを生成し、当該補助データを上記記録媒体の上記第１の記録領域とは異なる第２の記録領域に記録させるように上記記録手段を制御し、さらに上記再生手段により上記第１のデータが再生されると上記記録媒体の上記第２の記録領域に記録された上記補助データも再生させるように上記再生手段を制御し、上記ユーザにより上記入力手段を介して上記第２のデータの上記始点及び終点が入力されたときには、当該始点及び終点に対応する上記補助データを生成し、当該生成した補助データを上記記録媒体の上記第２の記録領域に記録させるように上記記録手段を制御する
ことを特徴とする請求項１及び請求項３に記載の記録装置。
【請求項８】
上記補助データは、
上記第１及び／又は第２のデータに対応するフアイル名、上記第１及び／又は第２のデータに付加されているタイムコード、上記第１及び／又は第２のデータが記録されている上記記録媒体の先頭アドレスからなる
ことを特徴とする請求項６及び請求項７に記載の記録装置。
【請求項９】
入力されたデータをノンリニアアクセス可能な記録媒体に記録し、当該記録されたデータを再生して出力する記録再生装置において、
入力される第１のデータを上記記録媒体に記録する記録手段と、
上記記録手段により上記記録媒体に記録された又は記録される上記第１のデータのうち、上記ユーザにより所望の第２のデータの始点及び終点を入力するために用いられる入力手段と、
上記ユーザにより上記入力手段を介して上記第２のデータの上記始点及び終点が入力されたときに、当該第２のデータが記録された上記記録媒体の記録領域を避けて上記第１のデータを上記記録媒体にエンドレス記録するように上記記録手段を制御する制御手段と、
上記記録媒体に記録された上記第１のデータを再生して出力する再生手段と
を具えることを特徴とする記録再生装置。
【請求項１０】
上記制御手段は、
上記再生手段による上記第１のデータの再生に応じて、上記ユーザにより上記入力手段を介して上記第２のデータの上記始点及び終点が入力されたときに、当該第２のデータが記録された上記記録媒体の上記記録領域を避けて上記第１のデータを上記記録媒体にエンドレス記録するように上記記録手段を制御する
ことを特徴とする請求項９に記載の記録再生装置。
【請求項１１】
上記再生手段は、
上記記録媒体に記録された上記第１のデータを上記記録から所定時間経過した後、上記記録媒体に記録された順番にしたがつて再生する
ことを特徴とする請求項９に記載の記録再生装置。
【請求項１２】
上記制御手段は、
上記記録媒体に上記第１のデータをエンドレス記録させるように上記記録手段を制御するとき、上記記録媒体の第１の記録領域に上記第１のデータをエンドレス記録させ、上記ユーザにより上記入力手段を介して上記第２のデータの上記始点及び終点が入力されたときには上記記録媒体の上記第１の記録領域のうち、所定の第２の記録領域を避けて上記第１のデータを上記第１の記録領域にエンドレス記録させるように上記記録手段を制御する
ことを特徴とする請求項９に記載の記録再生装置。
【請求項１３】
上記制御手段は、
上記第１のデータを上記記録媒体の第１の記録領域に記録させるように上記記録手段を制御すると共に、上記第１のデータを識別する補助データを生成し、当該補助データを上記記録媒体の上記第１の記録領域とは異なる第２の記録領域に記録させるように上記記録手段を制御する
ことを特徴とする請求項９に記載の記録再生装置。
【請求項１４】
上記制御手段は、
上記第１のデータを上記記録媒体の第１の記録領域に記録させるように上記記録手段を制御すると共に、上記第１のデータを識別する補助データを生成し、当該補助データを上記記録媒体の上記第１の記録領域とは異なる第２の記録領域に記録させるように上記記録手段を制御し、さらに上記再生手段により上記第１のデータが再生されると上記記録媒体の上記第２の記録領域に記録された上記補助データも再生させるように上記再生手段を制御し、上記ユーザにより上記入力手段を介して上記第２のデータの上記始点及び終点が入力されたときには、当該始点及び終点に対応する上記補助データを生成し、当該生成した補助データを上記記録媒体の上記第２の記録領域に記録させるように上記記録手段を制御する
ことを特徴とする請求項９に記載の記録再生装置。
【請求項１５】
上記補助データは、
上記第１及び／又は第２のデータに対応するフアイル名、上記第１及び／又は第２のデータのサイズ、上記第１及び／又は第２のデータに付加されているタイムコード、上記第１及び／又は第２のデータが記録される上記記録媒体の先頭アドレスからなる
ことを特徴とする請求項１３及び請求項１４に記載の記録再生装置。
【請求項１６】
入力されたデータをノンリニアアクセス可能な記録媒体に記録する記録方法において、
入力される第１のデータを上記記録媒体にエンドレス記録する第１のステツプと、
上記記録媒体に記録された又は記録される上記第１のデータのうち、ユーザにより所望の第２のデータの始点及び終点が入力されたときに、当該始点及び終点に対応する上記第２のデータが記録された上記記録媒体の記録領域を避けて上記第１のデータを上記記録媒体にエンドレス記録する第２のステツプと
を具えることを特徴とする記録方法。
【請求項１７】
上記第１のステツプでは、
上記記録媒体にエンドレス記録された上記第１のデータを再生し、
上記第２のステツプでは、
上記記録媒体からの上記第１のデータの再生に応じて、上記ユーザにより上記第２のデータの上記始点及び終点が入力されたときに、当該第２のデータが記録された上記記録媒体の上記記録領域を避けて上記第１のデータを上記記録媒体にエンドレス記録する
ことを特徴とする請求項１６に記載の記録方法。
【請求項１８】
上記第１のステツプでは、
上記記録媒体にエンドレス記録された上記第１のデータを記録から所定時間経過した後に再生し、
上記第２ステツプでは、
上記記録媒体からの上記第１のデータの再生に応じて、上記ユーザにより上記第２のデータの上記始点及び終点が入力されたときに、当該第２のデータが記録された上記記録媒体の上記記録領域を避けて上記第１のデータを上記記録媒体にエンドレス記録する
ことを特徴とする請求項１７に記載の記録方法。
【請求項１９】
上記第１のステツプでは、
上記第１のデータを上記記録媒体の第１の記録領域にエンドレス記録し、
上記第２のステツプでは、
上記ユーザにより上記第２のデータの上記始点及び終点が入力されたときに、上記第１のデータのうち当該始点及び終点に対応する上記第２のデータが記録された上記記録媒体の第２の記録領域を避けて上記第１のデータを上記第１の記録領域にエンドレス記録する
ことを特徴とする請求項１６に記載の記録方法。
【請求項２０】
上記第１のステツプでは、
上記第１のデータを上記記録媒体の第１の記録領域にエンドレス記録すると共に、上記第１のデータを識別する補助データを生成し、当該補助データを上記記録媒体の上記第１の記録領域とは異なる第２の記録領域に記録する
ことを特徴とする請求項１６に記載の記録方法。
【請求項２１】
上記第１のステツプでは、
上記第１のデータを上記記録媒体の第１の記録領域にエンドレス記録すると共に、上記第１のデータを識別する補助データを生成し、当該補助データを上記記録媒体の上記第１の記録領域とは異なる第２の記録領域に記録し、さらに上記第１のデータが再生されると上記記録媒体の上記第２の記録領域に記録された上記補助データも再生し、
上記第２のステツプでは、
上記ユーザにより上記第２のデータの上記始点及び終点が入力されたときに、当該始点及び終点に対応する上記補助データを生成し、当該生成した補助データを上記記録媒体の上記第２の記録領域に記録する
ことを特徴とする請求項１６及び請求項１７に記載の記録方法。
【請求項２２】
上記補助データは、
上記第１及び／又は第２のデータに対応するフアイル名、上記第１及び／又は第２のデータに付加されているタイムコード、上記第１及び／又は第２のデータが記録されている上記記録媒体の先頭アドレスからなる
ことを特徴とする請求項２０及び／又は請求項２１に記載の記録方法。
【請求項２３】
入力されたデータをノンリニアアクセス可能な記録媒体に記録し、当該記録されたデータを再生して出力する記録再生方法において、
入力される第１のデータを上記記録媒体にエンドレス記録すると共に、上記記録媒体に記録された上記第１のデータを再生して出力する第１のステツプと、
上記記録媒体に記録された又は記録される上記第１のデータのうち、ユーザにより所望の第２のデータの始点及び終点が入力されたときに、当該始点及び終点に対応する上記第２のデータが記録された上記記録媒体の記録領域を避けて上記第１のデータを上記記録媒体にエンドレス記録する第２のステツプと
を具えることを特徴とする記録再生方法。
【請求項２４】
上記第２のステツプでは、
上記記録媒体からの上記第１のデータの再生に応じて、上記ユーザにより上記第２のデータの上記始点及び終点が入力されたときに、当該第２のデータが記録された上記記録媒体の上記記録領域を避けて上記第１のデータを上記記録媒体にエンドレス記録する
ことを特徴とする請求項２３に記載の記録再生方法。
【請求項２５】
上記第１のステツプでは、
上記記録媒体にエンドレス記録された上記第１のデータを記録から所定時間経過した後に再生し、
上記第２ステツプでは、
上記記録媒体からの上記第１のデータの再生に応じて、上記ユーザにより上記第２のデータの上記始点及び終点が入力されたときに、当該第２のデータが記録された上記記録媒体の上記記録領域を避けて上記第１のデータを上記記録媒体にエンドレス記録する
ことを特徴とする請求項２３に記載の記録再生方法。
【請求項２６】
上記第１のステツプでは、
上記第１のデータを上記記録媒体の第１の記録領域にエンドレス記録し、
上記第２のステツプでは、
上記ユーザにより上記第２のデータの上記始点及び終点が入力されたときに、上記第１のデータのうち当該始点及び終点に対応する上記第２のデータが記録された上記記録媒体の第２の記録領域を避けて上記第１のデータを上記第１の記録領域にエンドレス記録する
ことを特徴とする請求項２３に記載の記録再生方法。
【請求項２７】
上記第１のステツプでは、
上記第１のデータを上記記録媒体の第１の記録領域にエンドレス記録すると共に、上記第１のデータを識別する補助データを生成し、当該補助データを上記記録媒体の上記第１の記録領域とは異なる第２の記録領域に記録する
ことを特徴とする請求項２３に記載の記録再生方法。
【請求項２８】
上記第１のステツプでは、
上記第１のデータを上記記録媒体の第１の記録領域にエンドレス記録すると共に、上記第１のデータを識別する補助データを生成し、当該補助データを上記記録媒体の上記第１の記録領域とは異なる第２の記録領域に記録し、さらに上記第１のデータが再生されると上記記録媒体の上記第２の記録領域に記録された上記補助データも再生し、
上記第２のステツプでは、
上記ユーザにより上記第２のデータの上記始点及び終点が入力されたときに、当該始点及び終点に対応する上記補助データを生成し、当該生成した補助データを上記記録媒体の上記第２の記録領域に記録する
ことを特徴とする請求項２３及び請求項２４に記載の記録再生方法。
【請求項２９】
上記補助データは、
上記第１及び／又は第２のデータに対応するフアイル名、上記第１及び／又は第２のデータに付加されているタイムコード、上記第１及び／又は第２のデータが記録される上記記録媒体の先頭アドレスからなる
ことを特徴とする請求項２７及び請求項２８に記載の記録再生方法。
【発明の詳細な説明】
【０００１】
【目次】
以下の順序で本発明を説明する。
【０００２】
発明の属する技術分野
従来の技術
発明が解決しようとする課題
課題を解決するための手段（図１〜図６）
発明の実施の形態（図１〜図６）
発明の効果
【０００３】
【発明の属する技術分野】
本発明は記録装置、記録再生装置、記録方法及び記録再生方法に関し、例えば記録媒体に映像データ及び又は音声データ（以下、これをＡＶデータと呼ぶ）をエンドレス記録する記録再生装置に適用して好適なものである。
【０００４】
【従来の技術】
従来、この種の記録再生装置としては、記録媒体として例えばテープ状記録媒体を用いたものがある。この場合このような記録再生装置では、記録対象のＡＶデータをテープ状記録媒体の一端から他端まで記録した後、当該テープ状記録媒体を巻き戻し、ＡＶデータをこのテープ状記録媒体の一端から他端まで記録するような一連の動作を順次繰り返すようにして当該ＡＶデータをエンドレス記録し得るようになされている。
【０００５】
しかしながらこのようにテープ状記録媒体を用いた記録再生装置では、ＡＶデータをテープ状記録媒体の他端まで記録する毎に当該テープ状記録媒体の巻き戻し動作が必要となり、当該ＡＶデータのエンドレス記録の動作が煩雑になる。
【０００６】
このためこの種の記録再生装置として、テープ状記録媒体をその一端と他端とを繋ぎ合わせるようにしてリング状に形成して用いることにより、上述したようなテープ状記録媒体の巻き戻し動作を必要とせずに、当該リング状に形成したテープ状記録媒体にＡＶデータを連続してエンドレス記録し得るようになされたものがある。
【０００７】
またこの種の記録再生装置としては、記録媒体としてデイスク状記録媒体を用いたものもあり、ＡＶデータをデイスク状記録媒体のＡＶデータ記録領域にその先頭から最後まで記録した後、再び先頭から最後まで記録するようにこれを順次繰り返すことにより、ＡＶデータを連続してエンドレス記録し得るようになされている。
【０００８】
【発明が解決しようとする課題】
ところが上述したような各種記録装置においては、記録媒体（テープ状記録媒体又はデイスク状記録媒体等）上にあるＡＶデータの記録領域の終了点から開始点に戻つて順次上書きするようにＡＶデータをエンドレス記録することにより、現在記録したＡＶデータは記録媒体が一周して戻つてくると上書きされて失われてしまうという問題点があつた。記録媒体に記録されたＡＶデータの上書きを避けるためには記録媒体自体を交換しなければならないが、交換に手間取ると所望のＡＶデータを記録することができなくなる。
【０００９】
本発明は以上の点を考慮してなされたもので、第１のデータを記録媒体にエンドレス記録しながら当該第１のデータを容易に保存し得る記録装置、記録再生装置、記録方法及び記録再生方法を提案しようとするものである。
【００１０】
【課題を解決するための手段】
かかる課題を解決するため本発明においては、記録装置において、入力される第１のデータを記録媒体に記録する記録手段と、当該記録手段により記録媒体に記録された又は記録される第１のデータのうち、ユーザにより所望の第２のデータの始点及び終点を入力するために用いられる入力手段と、ユーザにより入力手段を介して第２のデータの始点及び終点が入力されたときには、当該第２のデータが記録された記録媒体の記録領域を避けて第１のデータを記録媒体にエンドレス記録するように記録手段を制御する制御手段とを設けるようにした。
【００１１】
また本発明においては、記録再生装置において、入力される第１のデータを記録媒体に記録する記録手段と、当該記録手段により記録媒体に記録された又は記録される第１のデータのうち、ユーザにより所望の第２のデータの始点及び終点を入力するために用いられる入力手段と、ユーザにより入力手段を介して第２のデータの始点及び終点が入力されたときに、当該第２のデータが記録された記録媒体の記録領域を避けて第１のデータを記録媒体にエンドレス記録するように記録手段を制御する制御手段と、記録媒体に記録された第１のデータを再生して出力する再生手段とを設けるようにした。
【００１２】
さらに本発明においては、記録方法において、入力される第１のデータを記録媒体にエンドレス記録する第１のステツプと、記録媒体に記録された又は記録される第１のデータのうち、ユーザにより所望の第２のデータの始点及び終点が入力されたときに、当該始点及び終点に対応する第２のデータが記録された記録媒体の記録領域を避けて第１のデータを記録媒体にエンドレス記録する第２のステツプとを設けるようにした。
【００１３】
さらに本発明においては、記録再生方法において、入力される第１のデータを記録媒体にエンドレス記録すると共に、記録媒体に記録された第１のデータを再生して出力する第１のステツプと、記録媒体に記録された又は記録される第１のデータのうち、ユーザにより所望の第２のデータの始点及び終点が入力されたときに、当該始点及び終点に対応する第２のデータが記録された記録媒体の記録領域を避けて第１のデータを記録媒体にエンドレス記録する第２のステツプとを設けるようにした。
【００１４】
従つて本発明では、記録装置において、入力される第１のデータを記録媒体に記録する記録手段と、当該記録手段により記録媒体に記録された又は記録される第１のデータのうち、ユーザにより所望の第２のデータの始点及び終点を入力するために用いられる入力手段と、ユーザにより入力手段を介して第２のデータの始点及び終点が入力されたときには、当該第２のデータが記録された記録媒体の記録領域を避けて第１のデータを記録媒体にエンドレス記録するように記録手段を制御する制御手段とを設けるようにしたことにより、記録媒体に記録した第１のデータに保存対象の所望の部分がある場合には、当該第１のデータの所望の部分を第２のデータとして保存することができる。
【００１５】
また本発明では、記録再生装置において、入力される第１のデータを記録媒体に記録する記録手段と、当該記録手段により記録媒体に記録された又は記録される第１のデータのうち、ユーザにより所望の第２のデータの始点及び終点を入力するために用いられる入力手段と、ユーザにより入力手段を介して第２のデータの始点及び終点が入力されたときに、当該第２のデータが記録された記録媒体の記録領域を避けて第１のデータを記録媒体にエンドレス記録するように記録手段を制御する制御手段と、記録媒体に記録された第１のデータを再生して出力する再生手段とを設けるようにしたことにより、記録媒体に記録した第１のデータに保存対象の所望の部分がある場合には、当該第１のデータの所望の部分を第２のデータとして保存することができる。
【００１６】
さらに本発明では、記録方法において、入力される第１のデータを記録媒体にエンドレス記録し、当該記録媒体に記録された又は記録される第１のデータのうち、ユーザにより所望の第２のデータの始点及び終点が入力されたときに、当該始点及び終点に対応する第２のデータが記録された記録媒体の記録領域を避けて第１のデータを記録媒体にエンドレス記録するようにしたことにより、第１のデータの保存対象の所望の部分を第２のデータとして保存することができる。
【００１７】
さらに本発明では、記録再生方法において、入力される第１のデータを記録媒体にエンドレス記録すると共に、記録媒体に記録された第１のデータを再生して出力し、記録媒体に記録された又は記録される第１のデータのうち、ユーザにより所望の第２のデータの始点及び終点が入力されたときに、当該始点及び終点に対応する第２のデータが記録された記録媒体の記録領域を避けて第１のデータを記録媒体にエンドレス記録するようにしたことにより、第１のデータの保存対象の所望の部分を第２のデータとして保存することができる。
【００１８】
【発明の実施の形態】
以下図面について、本発明の一実施例を詳述する。
【００１９】
図１において、１は全体として記録再生装置を示し、システムコントローラ２が装置全体を制御することにより複数の記録対象のＡＶデータ（以下、この記録対象のＡＶデータを第１のＡＶデータと呼ぶ）Ｄ１を記録及び再生し得ると共に、当該第１のＡＶデータＤ１をエンドレス記録し得るようになされている。
【００２０】
ここでまずこの記録再生装置１では、第１のＡＶデータＤ１を記録するとき、ユーザがコントロールパネル４を操作して記録モードを指定することにより、当該コントロールパネル４から記録モード信号Ｓ１がシステムコントローラ２に送出される。
【００２１】
システムコントローラ２は、入力された記録モード信号Ｓ１に基づいて外部から記録対象の映像及び又は音声に対応する映像信号及び又は音声信号（以下、これらをＡＶ信号と呼ぶ）Ｓ２をエンコーダ５に供給する。これに加えてシステムコントローラ２は、その内部にタイムコード発生器（図示せず）を有し、当該タイムコード発生器が発生したタイムコード（例えば24時間周期に相当する時間情報）をタイムコード信号Ｓ３としてエンコーダ５に送出する。
【００２２】
エンコーダ５は、入力されたＡＶ信号Ｓ２にタイムコード信号Ｓ３が表すタイムコードを付加してデイジタル化し、これを符号化することにより第１のＡＶデータＤ１を生成してフオーマツト変換器６に送出する。
【００２３】
またこの場合システムコントローラ２は、記録制御信号Ｓ５を第１の内部バス７を介してＣＰＵ（Central Proccessor Unit ）８に送出し、これにより当該ＣＰＵ８は、入力された記録制御信号Ｓ５に基づいて制御され、データフオーマツト変換制御信号Ｓ６を第２の内部バス９を介してフオーマツト変換器６に送出する。
【００２４】
これによりフオーマツト変換器６は、入力されたデータフオーマツト変換制御信号Ｓ６に基づいて第１のＡＶデータＤ１をハードデイスク１５のセクタのデータ量に相当する単位毎に順次パケツト化するようにして当該ハードデイスク１５に対する記録用フオーマツトに変換してバツフアメモリ１６に送出する。なおこのフオーマツト変換器６は、第１のＡＶデータＤ１をパケツト化する際に当該第１のＡＶデータＤ１の先頭位置と最後尾位置とにそれぞれ付加されているタイムコードを抽出し、これをタイムコード情報信号Ｓ７として第２の内部バス９を介してＣＰＵ８に送出する。
【００２５】
ここでＣＰＵ８は、バツフアメモリ制御器１７を制御するバツフア制御信号Ｓ８を第２の内部バス９を介して当該バツフアメモリ制御器１７に送出する。
【００２６】
バツフアメモリ制御器１７は、入力されたバツフア制御信号Ｓ８に基づいて制御され、バツフアメモリ１６に第１のＡＶデータＤ１の格納及び送出を制御するバツフアメモリ制御信号Ｓ１０を送出する。
【００２７】
これによりバツフアメモリ１６は、入力されたバツフアメモリ制御信号Ｓ１０に基づいて第１のＡＶデータＤ１をパケツト単位毎に順次格納すると共に、当該格納した第１のＡＶデータＤ１を所定のタイミングによりパケツト単位毎に第１のＤＭＡ（Direct Memory Access）バス２０、ＳＣＳＩ（Small Computer System Interface ）制御器２１及び第２のＤＭＡバス２２を順次介してハードデイスク１５に送出する。
【００２８】
またＣＰＵ８は、ハードデイスク１５において第１のＡＶデータＤ１をパケツト単位毎にそれぞれ記録するセクタの論理アドレス（LBA:Logical Block Addrress）を論理アドレス信号Ｓ１２として第２の内部バス９、ＳＣＳＩ制御器２１及び第２のＤＭＡバス２２を順次介してハードデイスク１５に送出する。これによりＣＰＵ８は、第１のＡＶデータＤ１をパケツト単位毎にハードデイスク１５のそれぞれ対応する（論理アドレスに応じた）セクタに順次記録し得るようになされている。
【００２９】
このときシステムコントローラ２には、コントロールパネル４からユーザによつて指定された、第１のＡＶデータＤ１に対応するフアイル名がフアイル名情報信号Ｓ１４として入力されると共に、ＣＰＵ８からタイムコード情報信号Ｓ７が第１の内部バス７を介して入力され、これにより当該システムコントローラ２はハードデイスク１５に記録される第１のＡＶデータＤ１のフアイル名と、当該第１のＡＶデータＤ１の先頭位置及び最後尾位置にそれぞれ付加されているタイムコードとをそれぞれ対応させてハードデイスク１５に第１のＡＶデータを記録させるようになされている。
【００３０】
またこのシステムコントローラ２は入力されたフアイル名情報信号Ｓ１４を第１の内部バス７を介してＣＰＵ８に送出する。
【００３１】
これによりＣＰＵ８は、フアイル名情報信号Ｓ１４、タイムコード情報信号Ｓ７及び論理アドレス信号Ｓ１２等に基づいて第１のＡＶデータＤ１を識別するフアイルデータＤ２を生成する。因みにこのフアイルデータＤ２は、第１のＡＶデータＤ１に対応するフアイル名、第１のＡＶデータＤ１の記録終了時間、第１のＡＶデータＤ１の記録領域の先頭の論理アドレス（すなわち、レコードエントリ情報）、第１のＡＶデータＤ１のサイズ（第１のＡＶデータＤ１の記録に要したセクタ数）及び第１のＡＶデータＤ１の先頭位置に付加されているタイムコード等から構成されている。
【００３２】
かくしてＣＰＵ８は、このようにして生成したフアイルデータＤ２をＣＰＵバス２５、ＲＡＭ（Random Access Memory）２６、ＳＣＳＩ制御器２１及び第２のＤＭＡバス２２を順次介してハードデイスク１５に送出し、当該フアイルデータＤ２をハードデイスク１５に記録し得るようになされている。
【００３３】
従つてこの記録再生装置１においては、第１のＡＶデータＤ１を記録するとき、上述した一連の動作を順次繰り返すようにしてハードデイスク１５に複数の第１のＡＶデータＤ１及びこれを識別する複数のフアイルデータＤ２を記録し得るようになされている。
【００３４】
ハードデイスク１５は、図２に示すように、円盤形状に形成されて所定のケース２７内に収納されており、当該ハードデイスク１５の最外周に沿つて例えばフアイルデータ記録領域１５Ａが設けられていると共に、当該フアイルデータ記録領域１５Ａの内側にＡＶデータ記録領域１５Ｂが設けられている。図２に示した例は、ハードデイスク１５の最外周にフアイルデータ記録領域１５Ａ、その内側にＡＶデータ記録領域１５Ｂが設けられているが、本発明はハードデイスク１５の内周にフアイルデータ記録領域１５Ａを設け、外周にＡＶデータ記録領域１５Ｂを設けても構わない。さらにその他所定領域にそれぞれの記録領域を設けるようにしても良い。
【００３５】
かくしてこのハードデイスク１５は、フアイルデータ記録領域１５Ａに複数のフアイルデータＤ２を記録し得ると共に、ＡＶデータ記録領域１５Ｂに複数の第１のＡＶデータＤ１を記録し得るようになされている。
【００３６】
また図３（Ａ）に示すように、このハードデイスク１５のＡＶデータ記録領域１５Ｂは、フアイルデータＤ２に対応して第１のＡＶデータＤ１が記録されるまで、その全領域が第１の記録領域ＦＳとなる。つまりＡＶデータ記録領域１５Ｂに全く何も記録されていないとき、図３（Ａ）のように全領域がフリースペース（FS:Free Spuce ）となる。このハードデイスク１５のＡＶデータ記録領域１５Ｂに、複数のフアイルデータＤ２にそれぞれ対応した第１のＡＶデータＤ１が記録されると、図３（Ｂ）に示すように、それぞれのフアイルデータＤ２の第１のＡＶデータＤ１が記録されるべき記録領域の先頭の論理アドレス（レコードエントリ）情報に基づいて、第２の記録領域ＲＥ１、ＲＥ２及びＲＥ３にそれぞれのフアイルデータＤ２に基づいた第１のＡＶデータＤ１がそれぞれ記録される。
【００３７】
一方、図１に示す記録再生装置１では、第１のＡＶデータＤ１を再生するとき、ユーザがコントロールパネル４を操作して再生モードを指定することにより、当該コントロールパネル４から再生モード信号Ｓ２０がシステムコントローラ２に送出される。システムコントローラ２は、入力された再生モード信号Ｓ２０に基づいてフアイルデータ読出し制御信号Ｓ２１を第１の内部バス７を介してＣＰＵ８に送出し、当該ＣＰＵ８は入力されたフアイルデータ読出し制御信号Ｓ２１に基づいてハードデイスク１５を制御して当該ハードデイスク１５からこれに記録されている全てのフアイルデータＤ２を第２のＤＭＡバス２２、ＳＣＳＩ制御器２１を順次介してＲＡＭ２６に読み出す。
【００３８】
この状態においてユーザがコントロールパネル４を操作して所望の第１のＡＶデータＤ１（すなわち再生したい所望の映像及び又は音声に対応する第１のＡＶデータＤ１）に対応するフアイル名を指定することにより、当該コントロールパネル４はフアイル名指定信号Ｓ２５をシステムコントローラ２に送出する。
【００３９】
システムコントローラ２は、入力されたフアイル名指定信号Ｓ２５に基づいて、当該システムコントローラ２内部の記録媒体から、指定されたフアイル名に対応するタイムコードを読み出すと共に、フアイル名指定信号Ｓ２５を第１の内部バス７を介してＣＰＵ８に送出する。
【００４０】
ＣＰＵ８は入力されたフアイル名指定信号Ｓ２５に基づいて検索信号Ｓ２７をＲＡＭ２６に送出する。これによりＣＰＵ８は、ＲＡＭ２６内に格納されている複数のフアイルデータＤ２のそれぞれフアイル名を検索し、ユーザが指定したフアイル名を有するフアイルデータＤ２を読み出す。
【００４１】
ここでユーザは、再びコントロールパネル４を操作して、所望の第１のＡＶデータＤ１に対する再生開始時間（第１のＡＶデータＤ１の先頭位置から再生を開始するまでの時間）を指定する。コントロールパネル４は、指定された再生開始時間を表す再生開始信号Ｓ３０をシステムコントローラ２に送出する。
【００４２】
システムコントローラ２は、所望の第１のＡＶデータＤ１の先頭位置及び最後尾位置のそれぞれタイムコードに基づいて、再生時間信号Ｓ３０が表す再生開始時間に対応する第１のＡＶデータＤ１のタイムコードを選定し、当該選定したタイムコードをタイムコード信号Ｓ３１として第１の内部バス７を介してＣＰＵ８に送出する。
【００４３】
ＣＰＵ８は、入力されたタイムコード信号Ｓ３１が表すタイムコード（再生を開始するタイムコード）と、ユーザが指定したフアイル名を有するフアイルデータＤ２に格納された第１のＡＶデータＤ１の記録領域の先頭の論理アドレスとに基づいて、当該タイムコードに対応する第１のＡＶデータＤ１の再生を開始する論理アドレスを計算し、この結果得られる論理アドレスと、この後当該第１のＡＶデータＤ１の最後尾までのパケツト単位毎の論理アドレスとを論理アドレス信号Ｓ３４として第２の内部バス９、ＳＣＳＩ制御器２１及び第２のＤＭＡバス２２を順次介してハードデイスク１５に送出する。これによりＣＰＵ８は、ハードデイスク１５に記録されている所望のＡＶデータＤ１を順次パケツト単位毎に再生し、これを第２のＤＭＡバス２２、ＳＣＳＩ制御器２１及び第１のＤＭＡバス２０を順次介してバツフアメモリ１６に送出する。
【００４４】
ここでＣＰＵ８は、バツフアメモリ制御器１７を制御するバツフア制御信号Ｓ３５を第２の内部バス９を介して当該バツフアメモリ制御器１７に送出する。
【００４５】
バツフアメモリ制御器１７は、入力されたバツフア制御信号Ｓ３５に基づいて制御され、バツフアメモリ１６に第１のＡＶデータＤ１の格納及び送出を制御するバツフアメモリ制御信号Ｓ３７を送出する。
【００４６】
これによりバツフアメモリ１６は、入力されたバツフアメモリ制御信号Ｓ３７に基づいて第１のＡＶデータＤ１をパケツト単位毎に順次格納すると共に、当該格納した第１のＡＶデータＤ１を所定のタイミングでパケツト単位毎に順次フオーマツト復元器３０に送出する。
【００４７】
この場合フオーマツト復元器３０には、第１のＡＶデータＤ１と共に、ＣＰＵ８から第２の内部バス９を介してデータフオーマツト復元制御信号Ｓ３９が入力されており、これによりフオーマツト復元器３０は、入力されたパケツト化されている第１のＡＶデータＤ１をデータフオーマツト復元制御信号Ｓ３９に基づいて復元（すなわち、第１のＡＶデータＤ１をパケツト化する前のフオーマツトに戻す）してデコーダ３２に送出する。
【００４８】
デコーダ３２は、入力された第１のＡＶデータＤ１からＡＶ信号Ｓ４０を生成し、これを外部（所定の表示装置やスピーカ等）に送出すると共に、タイムコード抽出器３４に送出する。
【００４９】
タイムコード抽出器３４は、入力されたＡＶ信号Ｓ４０からこれに付加されているタイムコードを抽出し、これを抽出タイムコード信号Ｓ４２としてシステムコントローラ２に送出する。
【００５０】
かくしてこの記録再生装置１においては、第１のＡＶデータＤ１を再生するとき、上述した一連の動作を順次繰り返すことにより、所望の第１のＡＶデータＤ１に対応する映像及び又音声の視聴を開始したい位置から再生することができる。
【００５１】
ここでこの記録再生装置１では、第１のＡＶデータＤ１をエンドレス記録するとき、ユーザがコントロールパネル４を操作するようにしてエンドレス記録モードを指定することにより、当該コントロールパネル４からエンドレス記録モード信号Ｓ４４がシステムコントローラ２に送出され、システムコントローラ２は、入力されたエンドレス記録モード信号Ｓ４４に基づいて装置全体を制御して外部からＡＶ信号Ｓ２をエンコーダ５に供給すると共に、内部のタイムコード発生器からタイムコード信号Ｓ３をエンコーダ５に送出する。
【００５２】
エンコーダ５は、入力されたＡＶ信号Ｓ２にタイムコード信号Ｓ３が表すタイムコードを付加し、これを符号化することにより第１のＡＶデータＤ１を生成してフオーマツト変換器６に送出する。
【００５３】
フオーマツト変換器６は、ＣＰＵ８から入力されるデータフオーマツト変換制御信号Ｓ６に基づいて第１のＡＶデータＤ１をハードデイスク１５のセクタのデータ量に相当する単位毎に順次パケツト化することにより当該ハードデイスク１５に対する記録用フオーマツトに変換してバツフアメモリ１６に送出すると共に、当該第１のＡＶデータＤ１の先頭位置と最後尾位置とにそれぞれ付加されているタイムコードを抽出し、これをタイムコード情報信号Ｓ７として第２の内部バス９を介してＣＰＵ８に送出する。
【００５４】
ＣＰＵ８は、バツフア制御信号Ｓ８を第２の内部バス９を介してバツフアメモリ制御器１７に送出し、当該バツフアメモリ制御器１７は入力されたバツフア制御信号Ｓ８に基づいてバツフアメモリ制御信号Ｓ１０をバツフアメモリ１６に送出する。
【００５５】
バツフアメモリ１６は、入力されたバツフアメモリ制御信号Ｓ１０に基づいて第１のＡＶデータＤ１をパケツト単位毎に順次格納すると共に、当該格納した第１のＡＶデータＤ１を所定のタイミングによりパケツト単位毎に順次第１のＤＭＡバス２０、ＳＣＳＩ制御器２１及び第２のＤＭＡバス２２を順次介してハードデイスク１５に送出する。
【００５６】
ここでエンドレス記録時におけるＣＰＵ８は、第１のＡＶデータＤ１をハードデイスク１５のＡＶデータ記録領域１５Ｂの第１の記録領域ＦＳ１〜ＦＳ３（図３（Ｂ））のみ（すなわち、フアイルデータＤ２に対応させて第１のＡＶデータＤ１が記録された第２の記録領域ＲＥ１〜ＲＥ３（図３（Ｂ））を避けるように）にエンドレス記録するようになされている。従つてＣＰＵ８は、ハードデイスク１５において例えばＡＶデータ記録領域１５Ｂの第１の記録領域ＦＳ１（図３（Ｂ））の先頭に位置するセクタから第２の記録領域ＲＥ１〜ＲＥ３（図３（Ｂ））を順次避けるようにして第１の記録領域ＦＳ３（図３（Ｂ））の最後尾に位置するセクタまでのセクタ毎の論理アドレスを順次論理アドレス信号Ｓ４５として第２の内部バス９、ＳＣＳＩ制御器２１及び第２のＤＭＡバス２２を順次介してハードデイスク１５に送出すると共に、この後この論理アドレス信号Ｓ４５を順次繰り返しハードデイスク１５に送出する。これによりＣＰＵ８は、複数の第１のＡＶデータＤ１をハードデイスク１５のＡＶデータ記録領域１５Ｂの第１の記録領域ＦＳ１〜ＦＳ３（図３（Ｂ））のみにエンドレス記録し得るようになされている。
【００５７】
この状態において図１との対応部分に同一符号を付して示す図４に示すように、記録再生装置１では、ユーザがコントロールパネル４を操作して、第１のＡＶデータＤ１のうち、所望する第２のＡＶデータＤ４に対応するフアイル名を指定することにより、当該コントロールパネル４からフアイル名を表すフアイル名信号Ｓ５０がシステムコントローラ２に送出される。
【００５８】
この場合システムコントローラ２は、入力されたフアイル名信号Ｓ５０が表すフアイル名を記録媒体に記録する。
【００５９】
これに加えてこの記録再生装置１では、ユーザがコントロールパネル４を操作してハードデイスク１５におけるＡＶデータ記録領域１５Ｂの第１の記録領域ＦＳ１〜ＦＳ３（図３（Ｂ））の再生を指定することにより、当該コントロールパネル４から再生指定信号Ｓ５１がシステムコントローラ２に送出される。
【００６０】
システムコントローラ２は、入力された再生指定信号Ｓ５１に基づいて、ＣＰＵ８を制御する再生開始信号Ｓ５３を第１の内部バス７を介して当該ＣＰＵ８に送出する。
【００６１】
これによりＣＰＵ８は、入力された再生開始信号Ｓ５３に基づいて制御され、ハードデイスク１５のＡＶデータ記録領域１５Ｂの第１の記録領域ＦＳ１〜ＦＳ３（図３（Ｂ））にエンドレス記録された第１のＡＶデータＤ１が所定時間後に、記録された順番で順次再生される。またＣＰＵ８は、セクタ単位毎に論理アドレスを論理アドレス信号Ｓ５４として第２の内部バス９、ＳＣＳＩ制御器２１及び第２のＤＭＡバス２２を順次繰り返して介してハードデイスク１５に送出する。
【００６２】
かくしてＣＰＵ８は、ハードデイスク１５のＡＶデータ記録領域１５Ｂの第１の記録領域ＦＳ１〜ＦＳ３（図３（Ｂ））に複数の第１のＡＶデータＤ１をエンドレス記録しながら、当該記録された第１のＡＶデータＤ１をエンドレス記録される第１のＡＶデータＤ１と重複させずに順次再生し、これを第２のＤＭＡバス２２、ＳＣＳＩ制御器２１及び第１のＤＭＡバス２０を順次介してバツフアメモリ１６に送出する。
【００６３】
またＣＰＵ８は、ハードデイスク１５に送出した論理アドレス信号Ｓ５４をシステムコントローラ２にも送出する。
【００６４】
このようにしてこの記録再生装置１では、ハードデイスク１５から再生した第１の記録領域ＦＳ１〜ＦＳ３の第１のＡＶデータＤ１を上述した第１のＡＶデータＤ１を再生するときと同様に処理してデコーダ３２に送出し、当該デコーダ３２は、入力された第１の記録領域ＦＳ１〜ＦＳ３の第１のＡＶデータＤ１をアナログ化して外部に送出すると共に、タイムコード抽出器３４に送出する。
【００６５】
タイムコード抽出器３４は、入力されたＡＶ信号Ｓ４０からタイムコードを抽出し、これを抽出タイムコード信号Ｓ４２としてシステムコントローラ２に送出する。
【００６６】
この場合記録再生装置１は、デコーダ３２の出力側に所定の表示装置及びスピーカが接続されており、当該デコーダ３２から送出されたＡＶ信号Ｓ４０に対応する映像及び／又は音声を表示装置及びスピーカを介してユーザに視聴させる。
【００６７】
この状態において、この記録再生装置１では、ユーザに映像及び／又は音声を視聴させてその内容を認識させ、所望の映像及び／又は音声の再生が開始されたとき、その始点を当該ユーザにコントロールパネル４を操作させて指定させる。このときシステムコントローラ２には、コントロールパネル４から始点が指定されたことを表す始点信号Ｓ５５が入力され、これによりこの始点信号Ｓ５５と同時に（すなわち、ユーザが始点を指定したとき）入力された論理アドレスとタイムコードとを記録媒体に記録する。
【００６８】
この記録再生装置１では、このままユーザに所望の映像及び／又は音声を視聴させてその内容を認識させ、当該所望の映像及び／又は音声の再生が終了したとき、その終点を当該ユーザにコントロールパネル４を操作させて指定させる。このときシステムコントローラ２には、コントロールパネル４から終点が指定されたことを表す終点信号Ｓ５６が入力され、これによりこの終点信号Ｓ５６と同時に（すなわち、ユーザが終点を指定したとき）入力された論理アドレスとタイムコードとを記録媒体に記録する。
【００６９】
これによりシステムコントローラ２は、始点及び終点が指定された所望の映像及び／又は音声に対応する第２のＡＶデータＤ４に対し、ユーザがコントロールパネル４を操作するようにして保存の実行を指定することにより当該コントロールパネル４から入力される保存実行信号Ｓ５７に基づいて、記録媒体から第２のＡＶデータＤ１に対応するフアイル名と、始点が指定されたときの論理アドレス及びタイムコードと、終点が指定されたときの論理アドレス及びタイムコードとを読み出し、これらをフアイルデータ生成情報信号Ｓ６０として第１の内部バス７を介してＣＰＵ８に送出する。
【００７０】
ＣＰＵ８は、入力されたフアイルデータ生成情報信号Ｓ６０に基づいて、始点及び終点が指定された所望の映像及び／又は音声に対応する第２のＡＶデータＤ４を識別するフアイルデータＤ５を生成し、これをＣＰＵバス２５、ＲＡＭ２６、ＳＣＳＩ制御器２１及び第２のＤＭＡバス２２を順次介してハードデイスク１５に送出し、当該フアイルデータＤ５をハードデイスク１５のフアイルデータ記録領域１５Ａに記録する。
【００７１】
これにより図３（Ａ）及び（Ｂ）との対応部分に同一符号を付した図５（Ａ）及び（Ｂ）に示すように、この記録再生装置１では、ハードデイスク１５においてＡＶデータ記録領域１５Ｂの第１の記録領域ＦＳ４に記録されている複数の第１のＡＶデータＤ１のうち、始点及び終点が指定された第２のＡＶデータＤ４が記録されている所定の領域５０（図５（Ａ））を避けて第１のＡＶデータＤ１がエンドレス記録されるように、この所定の領域５０を第２の記録領域ＲＥ２にし（図５（Ｂ））、この第２の記録領域ＲＥ２に記録された第２のＡＶデータＤ４を保存し得るようになされている。
【００７２】
以上の構成において、この記録再生装置１では、エンドレス記録時、システムコントローラ２は、ユーザがコントロールパネル４を操作してエンドレス記録モードを指定することにより、図６に示すエンドレス記録処理手順ＲＴ１を開始してステツプＳＰ１からステツプＳＰ２に進み、ＣＰＵ８を制御してハードデイスク１５のＡＶデータ記録領域１５Ｂの第１の記録領域に複数の第１のＡＶデータＤ１をエンドレス記録させる。
【００７３】
次いでシステムコントローラ２は、ステツプＳＰ３に進み、第１のＡＶデータＤ１をエンドレス記録しているか否かを判断し、肯定結果を得ると続くステツプＳＰ４に進み、ユーザがコントロールパネル４を操作して指定した、第２のＡＶデータＤ４に対応するフアイル名を記録する。
【００７４】
この後システムコントローラ２は、ステツプＳＰ５に進み、ユーザがコントロールパネル４を操作してハードデイスク１５におけるＡＶデータ記録領域１５Ｂの第１の記録領域の再生を指定することにより、ＣＰＵ８を制御して当該ハードデイスク１５におけるＡＶデータ記録領域１５Ｂの第１の記録領域に記録されている第１のＡＶデータＤ１を順次再生させる。
【００７５】
続いてシステムコントローラ２は、ステツプＳＰ６に進み、第１の記録領域から得られる第１のＡＶデータＤ１に対応する映像及び／又は音声の内容を表示装置及びスピーカを介してユーザに視聴させ、これによりユーザに映像及び／又は音声の内容を認識させて所望の映像及び／又は音声を探させる。
【００７６】
続いてシステムコントローラ２は、ステツプＳＰ７に進み、ユーザが所望の映像及び／又は音声を認識することによりコントロールパネル４を操作して当該所望の映像及び／又は音声に対する始点及び終点を指定したか否かを判断し、否定結果を得るとステツプＳＰ６に戻り、この後ステツプＳＰ７において肯定結果が得られるまでステツプＳＰ６−ＳＰ７のループを繰り返す。
【００７７】
この後システムコントローラ２は、ステツプＳＰ７において肯定結果を得ると、続くステツプＳＰ８においてユーザがコントロールパネル４を操作して始点及び終点が指定された所望の映像及び／又は音声に対応する第２のＡＶデータＤ４に対する保存の実行を指定したか否かを判断し、否定結果を得るとこの後肯定結果が得られるまでこのステツプＳＰ８を繰り返す。
【００７８】
この後システムコントローラ２は、ステツプＳＰ８において肯定結果を得ると、続くステツプＳＰ９に進み、第２のＡＶデータＤ４に対応するフアイル名と、始点及び終点がそれぞれ指定されたときの論理アドレス及びタイムコードをフアイルデータ生成情報信号Ｓ６０としてＣＰＵ８に送出し、当該ＣＰＵ８においてこのフアイル生成情報信号Ｓ６０に基づいてフアイルデータＤ５を生成させると共に、これをハードデイスク１５のフアイルデータ記録領域１５Ａに記録させる。これによりシステムコントローラ２は、ＡＶデータ記録領域１５Ｂの第１の記録領域に記録されている第２のＡＶデータＤ４を保存し、この後ステツプＳＰ３に戻る。
【００７９】
このようにしてこのシステムコントローラ２は、ステツプＳＰ３において否定結果を得るまで第１のＡＶデータＤ１をエンドレス記録しながらステツプＳＰ３−ＳＰ４−ＳＰ５−ＳＰ６−ＳＰ７−ＳＰ８−ＳＰ９−ＳＰ３のループを繰り返し、エンドレス記録された複数の第１のＡＶデータＤ１と共に、第２のＡＶデータＤ４が記録された場合には当該第２のＡＶデータＤ４を順次保存する。
【００８０】
この後システムコントローラ２は、ステツプＳＰ３において否定結果を得ると第１のＡＶデータＤ１のエンドレス記録が終了したと判断し、続くステツプＳＰ１０に進みこのエンドレス記録処理手順ＲＴ１を終了する
従つてまずこの記録再生装置１においては、複数の第１のＡＶデータＤ１をハードデイスク１５のＡＶデータ記録領域１５Ｂの第１の記録領域にエンドレス記録しながら、当該記録された第１のＡＶデータＤ１を順次再生するＣＰＵ８と、当該再生した第１のＡＶデータＤ１に対応する映像及び／又は音声のうち、所望の映像及び／又は音声が再生されたときにその始点及び終点を入力させるコントロールパネル４と、この始点及び終点に基づいてハードデイスク１５のＡＶデータ記録領域１５Ｂの第１の記録領域において当該所望の映像及び／又は音声に対応する第２のＡＶデータＤ４の記録領域１を避けて複数の第１のＡＶデータＤ１をエンドレス記録するようにＣＰＵ８を制御するシステムコントローラ２とを設けるようにしたことにより、第１のＡＶデータＤ１と共に、第２のＡＶデータＤ４をハードデイスク１５のＡＶデータ記録領域１５Ｂの第１の記録領域にエンドレス記録した場合でもハードデイスク１５を交換せずに当該第２のＡＶデータＤ４を保存することができる。
【００８１】
これに加えてこの記録再生装置１では、ハードデイスク１５のＡＶデータ記録領域１５Ｂの構造を変えずに第１のＡＶデータＤ１をエンドレス記録しながら、第２のＡＶデータＤ４を保存することができる。
【００８２】
一方、このような記録再生装置１を用いた記録方法では、ハードデイスク１５のＡＶデータ記録領域１５Ｂの第１の記録領域に複数の第１のＡＶデータＤ１をエンドレス記録しながら当該第１の記録領域に記録されている第１のＡＶデータＤ１を再生し、この再生した第１のＡＶデータＤ１に対応する映像及び／又は音声の内容をユーザに視聴させて認識させて、所望の映像及び／又は音声が再生されたときにその始点及び終点を指定させ、これに基づいてハードデイスク１５のＡＶデータ記録領域１５Ｂの第１の記録領域において所望の映像及び／又は音声に対応する第２のＡＶデータＤ４の記録領域を避けて第１のＡＶデータＤ１をエンドレス記録するようにしたことにより、ハードデイスク１５（すなわち記録媒体）を交換せずに当該第２のＡＶデータＤ４を容易に保存することができる。
【００８３】
またこの記録方法では、ハードデイスク１５のＡＶデータ記録領域１５Ｂの第１の記録領域に複数の第１のＡＶデータＤ１をエンドレス記録しながら当該第１の記録領域に記録されている第１のＡＶデータＤ１を再生し、この再生した第１のＡＶデータＤ１に対応する映像及び／又は音声の内容をユーザに視聴させて認識させ、所望の映像及び／又は音声が再生されたときにその始点及び終点を指定するようにしたことにより、所望の映像及び／又は音声を容易に選定することができる。
【００８４】
さらにこの記録方法では、ハードデイスク１５のＡＶデータ記録領域１５Ｂの第１の記録領域に複数の第１のＡＶデータＤ１がエンドレス記録された所定時間後に当該第１のＡＶデータＤ１を再生するようにしたことにより、エンドレス記録された第１のＡＶデータＤ１と再生される第１のＡＶデータＤ１とが重複することを防止することができると共に、先に記録された第２のＡＶデータＤ４に新たな第１又は第２のＡＶデータＤ１又はＤ４が上書きされる前に第２のＡＶデータＤ４を保存することができる。
【００８５】
以上の構成によれば、複数の第１のＡＶデータＤ１をハードデイスク１５のＡＶデータ記録領域１５Ｂの第１の記録領域にエンドレス記録すると共に、当該エンドレス記録された第１のＡＶデータＤ１を順次再生するＣＰＵ８と、当該ＣＰＵ８によつて再生された第１のＡＶデータＤ１に対応する映像及び／又は音声のうち、第２のＡＶデータＤ４に対応する所望の映像及び／又は音声の始点及び終点を入力するコントロールパネル４と、当該指定された始点及び終点に基づいてバードデイスク１５のＡＶデータ記録領域１５Ｂの第１の記録領域において第２のＡＶデータＤ４の記録領域を避けて複数の第１のＡＶデータＤ１をエンドレス記録するようにＣＰＵ８を制御するシステムコントローラ２とを設けるようにしたことにより、第１のＡＶデータＤ１と共に、第２のＡＶデータＤ４をハードデイスク１５のＡＶデータ記録領域１５Ｂの第１の記録領域にエンドレス記録した場合でもハードデイスク１５を交換せずに当該第２のＡＶデータＤ４を保存することができ、かくして第１のＡＶデータＤ１をエンドレス記録しながら所望する第２のＡＶデータＤ４を容易に保存し得る記録再生装置を実現することができる。
【００８６】
また複数の第１のＡＶデータＤ１をハードデイスク１５のＡＶデータ記録領域１５Ｂの第１の記録領域にエンドレス記録すると共に、当該エンドレス記録された第１のＡＶデータＤ１を順次再生して当該第１のＡＶデータＤ１に対応する映像及び／又は音声のうち、第２のＡＶデータＤ４に対応する所望の映像及び／又は音声の始点及び終点を指定させ、次いで当該指定された始点及び終点に基づいてバードデイスク１５のＡＶデータ記録領域１５Ｂの第１の記録領域において第２のＡＶデータＤ４の記録領域を避けて複数の第１のＡＶデータＤ１をエンドレス記録するようにしたことにより、ハードデイスク１５を交換せずに第２のＡＶデータＤ４を保存することができ、かくして第１のＡＶデータＤ１をエンドレス記録しながら所望する第２のＡＶデータＤ４を容易に保存し得る記録再生方法を実現することができる。
【００８７】
なお上述の実施例においては、第１のＡＶデータＤ１がエンドレス記録される記録媒体として、ハードデイスク１５を適用するようにした場合について述べたが、本発明はこれに限らず、ハードデイスク１５以外のデイスク状記録媒体等、ノンリニアアクセス可能な記録媒体やメモリ等のようにこの他種々の記録媒体を適用するようにしても良い。
【００８８】
また上述の実施例においては、複数の第１のＡＶデータＤ１をハードデイスク１５にエンドレス記録しながら、この第１のＡＶデータＤ１を再生する一方、第１のＡＶデータＤ１に対応する映像及び／又は音声の内容をユーザに認識させるようにして所望の映像及び／又は音声の始点及び終点を指定させるようにした場合について述べたが、本発明はこれに限らず、例えば第１のＡＶデータＤ１をエンドレス記録する前に、第１のデータに対応する映像及び／又は音声の内容をユーザに認識させるようにして所望の映像及び／又は音声に対応する第２のＡＶデータＤ４の始点及び終点を指定させた後、当該第２のＡＶデータＤ４と共に、これを認識するフアイルデータＤ５を生成してハードデイスク１５に記録する一方、第１のＡＶデータＤ１をハードデイスク１５にエンドレス記録させるようにしても良い。これにより本発明の記録再生装置をカムコーダ等の種々の記録再生装置に適用することができ、当該記録再生装置の汎用性を向上させることができる。
【００８９】
さらに上述の実施例においては、記録媒体にエンドレス記録するデータとして、映像及び／又は音声からなる第１及び第２のＡＶデータＤ１及びＤ４を適用するようにした場合について述べたが、本発明はこれに限らず、例えば文字を表すデータ等のようにこの他種々のデータを適用させるようにしても良い。
【００９０】
さらに上述の実施例においては、複数の第１のＡＶデータＤ１がハードデイスク１５におけるＡＶデータ記録領域１５Ｂの第１の記録領域ＦＳ１〜ＦＳ３（図３（Ｂ））にエンドレス記録された所定時間後に、各第１のＡＶデータＤ１が記録された順番で順次再生するようにした場合について述べたが、本発明はこれに限らず、ハードデイスク１５のＡＶデータ記録領域１５Ｂの第１の記録領域ＦＳ１〜ＦＳ３において、エンドレス記録される第１のＡＶデータＤ１と再生される第１のＡＶデータＤ１とが重複せず、かつ当該第１のＡＶデータＤ１をこれに上書きされる前に再生することができれば、第１の記録領域ＦＳ１〜ＦＳ３における第１のＡＶデータＤ１のエンドレス記録と第１のＡＶデータＤ１の再生とはどの論理アドレスから開始しても良い。
【００９１】
さらに上述の実施例においては、記録手段８により記録媒体１５に記録される又は記録された第１のデータＤ１のうち、所望する第２のデータＤ４の始点及び終点を入力する入力手段として、コントロールパネル４を適用するようにした場合について述べたが、本発明はこれに限らず、記録手段８により記録媒体１５に記録される又は記録された第１のデータＤ１のうち、所望する第２のデータＤ４の始点及び終点を入力することができれば、ユーザインターフエイス等のようにこの他種々の入力手段を適用するようにしても良い。
【００９２】
さらに上述の実施例においては、入力手段４を介して第２のデータＤ４の始点及び終点が指定されたときには、当該第２のデータＤ４が記録された記録媒体１５の記録領域を避けて第１のデータＤ１を記録媒体１５にエンドレス記録するように記録手段８を制御する制御手段として、システムコントローラ２を適用するようにした場合について述べたが、本発明はこれに限らず、入力手段４を介して第２のデータＤ４の始点及び終点が指定されたときに、当該第２のデータＤ４が記録された記録媒体１５の記録領域を避けて第１のデータＤ１を記録媒体１５にエンドレス記録するように記録手段８を制御することができれば、この他種々の制御手段を適用するようにしても良い。
【００９３】
さらに上述の実施例においては、再生手段８によつて再生された第１のデータＤ１及び第２のデータＤ４の内容をユーザに認識させる認識手段として表示装置及びスピーカを適用するようにした場合について述べたが、本発明はこれに限らず、再生手段８によつて再生された第１のデータＤ１及び第２のデータＤ４の内容をユーザに認識させることができれば、この他種々の認識手段を適用するようにしても良い。
【００９４】
【発明の効果】
上述のように本発明によれば、入力される第１のデータを記録媒体に記録する記録手段と、当該記録手段により記録媒体に記録された又は記録される第１のデータのうち、ユーザにより所望の第２のデータの始点及び終点を入力するために用いられる入力手段と、ユーザにより入力手段を介して第２のデータの始点及び終点が入力されたときには、当該第２のデータが記録された記録媒体の記録領域を避けて第１のデータを記録媒体にエンドレス記録するように記録手段を制御する制御手段とを設けるようにしたことにより、記録媒体に記録した第１のデータに保存対象の所望の部分がある場合には、当該第１のデータの所望の部分を第２のデータとして保存することができ、かくして第１のデータを記録媒体にエンドレス記録しながら当該第１のデータを容易に保存し得る記録装置を実現することができる。
【００９５】
また入力される第１のデータを記録媒体に記録する記録手段と、当該記録手段により記録媒体に記録された又は記録される第１のデータのうち、ユーザにより所望の第２のデータの始点及び終点を入力するために用いられる入力手段と、ユーザにより入力手段を介して第２のデータの始点及び終点が入力されたときに、当該第２のデータが記録された記録媒体の記録領域を避けて第１のデータを記録媒体にエンドレス記録するように記録手段を制御する制御手段と、記録媒体に記録された第１のデータを再生して出力する再生手段とを設けるようにしたことにより、記録媒体に記録した第１のデータに保存対象の所望の部分がある場合には、当該第１のデータの所望の部分を第２のデータとして保存することができ、かくして第１のデータを記録媒体にエンドレス記録しながら当該第１のデータを容易に保存し得る記録再生装置を実現することができる。
【００９６】
さらに入力される第１のデータを記録媒体にエンドレス記録し、当該記録媒体に記録された又は記録される第１のデータのうち、ユーザにより所望の第２のデータの始点及び終点が入力されたときに、当該始点及び終点に対応する第２のデータが記録された記録媒体の記録領域を避けて第１のデータを記録媒体にエンドレス記録するようにしたことにより、第１のデータの保存対象の所望の部分を第２のデータとして保存することができ、かくして第１のデータを記録媒体にエンドレス記録しながら当該第１のデータを容易に保存し得る記録方法を実現することができる。
【００９７】
さらに入力される第１のデータを記録媒体にエンドレス記録すると共に、記録媒体に記録された第１のデータを再生して出力し、記録媒体に記録された又は記録される第１のデータのうち、ユーザにより所望の第２のデータの始点及び終点が入力されたときに、当該始点及び終点に対応する第２のデータが記録された記録媒体の記録領域を避けて第１のデータを記録媒体にエンドレス記録するようにしたことにより、第１のデータの保存対象の所望の部分を第２のデータとして保存することができ、かくして第１のデータを記録媒体にエンドレス記録しながら当該第１のデータを容易に保存し得る記録再生方法を実現することができる。
【図面の簡単な説明】
【図１】本発明の記録再生装置の一実施例を示すブロツク図である。
【図２】ハードデイスクの構成を示す略線図である。
【図３】ハードデイスクのＡＶデータ記録領域における第１のＡＶデータの記録の説明に供する略線図である。
【図４】ハードデイスクのＡＶデータ記録領域における第２のＡＶデータの保存の説明に供する略線図である。
【図５】第１のＡＶデータのエンドレス記録の説明に供するブロツク図である。
【図６】エンドレス記録処理手順を示すフローチヤートである。
【符号の説明】
１……記録再生装置、２……システムコントローラ、４……コントロールパネル、８……ＣＰＵ、１５……ハードデイスク、１５Ａ……フアイルデータ記録領域、１５Ｂ……ＡＶデータ記録領域。
【図１】
0003897195.tif 000002
【図２】
0003897195.tif 000003
【図３】
0003897195.tif 000004
【図４】
0003897195.tif 000005
【図５】
0003897195.tif 000006
【図６】
0003897195.tif 000007